(57)【特許請求の範囲】
【請求項１】
袋状に縫製したトリムカバーを成形型にセットして、そのトリムカバー内にパッド発泡成形用の発泡液を注入して製造する表皮一体発泡品の製造装置において、
前記成形型が固定型，可動型からなり、前記トリムカバーから外部に突出したステーを収容するステー挿通溝が、当該成形型の固定型、可動型の接合箇所に設けられるとともに、
該成形型内にセットしたトリムカバーの開口部に差し込まれる閉口プレートが、該成形型の可動型で、固定型との接合面に回転自在に設けられたことを特徴とする表皮一体発泡品の製造装置。
【発明の詳細な説明】
【技術分野】
【０００１】
本発明はヘッドレスト、アームレストなどの自動車用シートに設ける表皮一体発泡品の製造装置に関する。
【背景技術】
【０００２】
多数の所定形状に裁断したトリムカバー片を接ぎ合わせてヘッドレストの外形形状に袋状に縫製したトリムカバーは、縫い代が内側になるように裏返して、その裏返し用などの開口部より内部にステーを装入した後、開口部を閉口し、パッド発泡用の発泡液を内部に注入してトリムカバー、ステーにパッドを成形型で一体発泡成形している。
【０００３】
そして、前記開口部からの発泡液の漏出を防止するために種々の手段を設けたものが開示されている。
【０００４】
例えば、本願出願人の出願に係る特開平９−１１２５２号公報に示すように、発泡液注入時における開口部を閉口する手段がある。
【０００５】
【特許文献１】特開平９−１１２５２号公報
【発明の開示】
【発明が解決しようとする課題】
【０００６】
以上の従来装置によれば、開口部にプレート状の閉口部材に挿し込むことによって、開口部の両端部を各々外方に引っ張ることにより、開口部を閉口してトリムカバー内に注入した発泡液が開口部より漏出することがないようにしている。
【０００７】
ところが、前記閉口部材は可動型と固定型とから構成する成形型の可動型側に固定されているため、成形型に対する位置決めなどは正確であるが、成形型の固定型側にセットしたトリムカバーの開口部に閉口部材を挿入する際、可動型を固定型に閉じる寸前に行われるので、閉口部材が確実に挿入されているか否か、確認し難い。
【０００８】
また、パッドを発泡成形後の脱型時に、閉口部材が開口部内に挿し込まれ分離し難いため、閉口部材付の可動型が固定型より取り外し難い。
【０００９】
そこで、本発明は斯様な従来品の不具合を解消することを目的とする。
【課題を解決するための手段】
【００１０】
以上の目的を達成するための本発明は袋状に縫製したトリムカバーを成形型にセットして、そのトリムカバー内にパッド発泡成形用の発泡液を注入して製造する表皮一体発泡品の製造装置において、
前記成形型が固定型，可動型からなり、前記トリムカバーから外部に突出したステーを収容するステー挿通溝が、当該成形型の固定型、可動型の接合箇所に設けられるとともに、
該成形型内にセットしたトリムカバーの開口部に差し込まれる閉口プレーが
該成形型の可動型で、固定型との接合面に回転自在に設けられたことを特徴とする構成である。
【００１１】
そして、前記閉口プレートは成形型の固定型側に設けた開口部の幅を略同一の一枚状のプレート又は各外側の端縁間の幅が前記開口部の幅と同一の離間させて配設した一対のプレート片である。
【発明の効果】
【００１２】
本請求項１の発明によれば、閉口プレートが成形型に回転自在に設けたので、成形型内にセットしたトリムカバーの開口部に閉口プレートが挿し込み易く、また、パッド発泡成形後の発泡品の脱型時に、発泡品と共に閉口プレートが可動するため、発泡品の成形型からの取り外しも容易になる。
【発明を実施するための最良の形態】
【００１４】
以下、本発明の一実施例を図面に基づいて説明する。
図面は表皮一体発泡品として、自動車用シートに備えるヘッドの製造装置を示す。
【００１５】
図１は本発明に係る製造装置を示し、図中Ａは割り型からなる成形型の固定型、Ｂは同可動型を各々示し、固定型Ａの可動型Ｂの接合面には、左右一対の閉口部材たるプレート片１、１が図２に示すように、ヒンジ１Ａによって回転自在に設けてある。
【００１６】
また、この固定型Ａと可動型Ｂの各々の接合個所には従来と同様にヘッドレストのステーを挿通するステー挿通溝２０、２０と、発泡液注入用のノズルの挿通部３０が設けてある。
【００１７】
プレート片１、１は図２矢印に示すように、１８０度回転するように固定型Ａに取付けられている。
プレート片１、１はその各外側の端縁間の幅が図４、図５に示すトリムカバーＨの開口部イの幅Ｗと同一に離間させて固定型Ａに取付けられている。
【００１８】
トリムカバーＨは多数の所定形状に裁断した布地(表皮材と発泡体製ワディング、ワディングカバーの積層体)をミシンで袋状に縫製して、その縫い代が内側になるように開口部イで裏返した構造で、開口部イが底部側に位置し、底部を構成する前底部１１と、後底部１０の各々の接合個所１０Ａ、１１Ａは図３、図４、図６、図７に示すように、内側に直角状に折曲され、開口部イを除く、開口部イの両側ロ、ロは縫糸１４、１４によって一体に縫着されている。図中１２、１３はトリムカバーＨの側面部を示す。
【００１９】
このトリムカバーＨ内に略Ｕ字状に折曲するヘッドレストのステー１５が挿入される。図中ハはトリムカバーＨに設けた発泡液の注入孔、ニ、ニは同ステー１５を挿通する通孔を各々示す。
【００２０】
以上のステー１５は開口部イから通孔ニ、ニ又は一方の通孔ニからトリムカバーＨ内に挿入して他方の通孔ニより外部に突出して図３の状態にし、この状態で、図１に示す固定型Ａ内にセットする。
【００２１】
このセット時にはステー１５の外部に突出する部分は、ステー挿通溝２０、２０に収容する。
これにより、トリムカバーＨの開口部イは、固定型Ａに設けたプレート片１、１側に位置する。
【００２２】
然る後、各プレート片１、１を回転させて開口部イの両端に挿入する。これにより、開口部イは長さ方向に引っ張られて前底布１１と後底布１０の接合個所１１Ａ、１０Ａは接合して開口部イは閉口される。
【００２３】
次に、可動型Ｂを固定型Ａに被せて挿通部３０から注入孔ハにノズルを挿し込み、図６、図７に示すようにトリムカバーＨ内にパッド発泡成形用の発泡液を注入して、パッド１６をトリムカバーＨ、ステー１５と一体に発泡成形してヘッドレストを製造する。
【００２４】
この成形後、可動型Ｂを可動させてヘッドレストを固定型Ａより取り出す。この取り出す際、プレート１、１片は固定型Ａに回転自在に取付けられているため、ヘッドレストの取り出す動作によって回転して自然に開口部イから抜出される。
【００２５】
なお、図示する閉口プレートは一対の間隔をあけて配設したプレート片１、１であるが、このプレート片１、１の代わりに、開口部イの幅Ｗと同一の幅の一枚のプレートを閉口プレートとして利用してもよい。
【００２６】
また、図示する開口部イはステー１５の外部に突出する部分の幅より狭いが、開口部イからステー１５をトリムカバーＨ内に挿入し易いように、ステー１５の外部に突出する部分の幅より広く形成してもよい。
【００２７】
更に、開口部イは通孔ニ、ニを結ぶ線上に設けるも任意である。
【産業上の利用可能性】
【００２８】
図示するものは表皮一体発泡品としてヘッドレストを示しているが、アームレストにも本発明は利用可能である。
【図面の簡単な説明】
【００２９】
【図１】本発明装置を示す斜視図である。
【図２】本発明の要部を示す断面図である。
【図３】本発明装置にセットするトリムカバーの部分切欠図である。
【図４】図３に示すトリムカバーの底面図である。
【図５】図３に示すトリムカバーの部分断面図である。
【図６】本発明装置の使用状態を示す断面図である。
【図７】図６のＸ部分の拡大図である。
【符号の説明】
【００３０】
Ｈ…トリムカバー、Ａ…成形型の固定型、Ｂ…成形型の可動型、イ…トリムカバーの開口部、１、１…閉口プレート。
【図１】
0004515393.tif 000002
【図２】
0004515393.tif 000003
【図３】
0004515393.tif 000004
【図４】
0004515393.tif 000005
【図５】
0004515393.tif 000006
【図６】
0004515393.tif 000007
【図７】
0004515393.tif 000008